(57)【要約】【課題】パイプライン内を流動搬送される被検体をＸ線で検査するＸ線検査装置において、検査空間を効果的に冷却する。【解決手段】Ｘ線検査装置１の検査空間Ｓに設けられた冷却装置１５の管部１６ａ，１６ｂはパイプライン１０と平行であり、一端部が冷却気体の供給源に接続され、他端部が閉止され、長手方向に並ぶ複数の孔１７を有する。一部の孔にピン１８ａを挿入することで、その上流側の孔からの風量を増大させてインターロック装置１２を効率的に冷却し、また複数の孔からの風量を平均化して検査空間内の冷却を効率化している。【選択図】図２
2019158366.tif 000002
【特許請求の範囲】
【請求項１】
パイプライン内を流動搬送される被検体にＸ線を照射し、前記被検体を透過したＸ線の透過量に基づいて前記被検体を検査するＸ線検査装置であって、
一端部が冷却気体の供給源に接続されるとともに他端部は閉止され、長手方向に間隔をおいて形成された複数の孔を有し、前記パイプラインと平行に配置された管部と、
前記孔から前記管部の内部に選択的に配置される調節部材と、
を有する冷却装置を具備することを特徴とするＸ線検査装置。
【請求項２】
前記孔の少なくとも一部は、前記管部の周方向に関して他の一部とは異なる位置に形成されていることを特徴とする請求項１に記載のＸ線検査装置。
【請求項３】
前記孔は円形であることを特徴とする請求項１又は２に記載のＸ線検査装置。
【請求項４】
前記孔はねじ孔であることを特徴とする請求項１又は２に記載のＸ線検査装置。
【発明の詳細な説明】
【技術分野】
【０００１】
本発明は、パイプラインの内部を流動搬送される被検体に遮蔽構造の検査空間内でＸ線を照射して検査を行なうＸ線検査装置に係り、特に高温の被検体を流動搬送した場合に検査空間内を効果的に冷却することができる冷却装置を備えたＸ線検査装置に関するものである。
【背景技術】
【０００２】
下記特許文献１には、パイプライン内を流動搬送される被検体にＸ線を照射して異物を検出するＸ線異物検出装置の発明が開示されている。この発明によれば、パイプライン１０は、検出位置Ｐにおけるパイプライン１０の断面形状が、被検体を流動可能とする程度の扁平形状に押し潰された形状とされている。このため、パイプライン内を流動搬送される被検体に向けて照射されるＸ線の透過距離を均等にでき、且つ短くできるため、被検体に混入している異物を確実に検出することができる。
【０００３】
下記特許文献２には、検査パイプ内を流動搬送される被検体にＸ線を照射して異物を検出するＸ線異物検出装置の発明が開示されている。Ｘ線照射装置１の筐体４に対し、検査パイプ６を備えたユニット７を、使用位置から非使用位置に外す方向に移動すると、ユニットの作動板１０が操作部材９を揺動し、操作板３５が強制解離スイッチ８を開いてＸ線作動回路を遮断する。また、ユニット７の作動ピン１２が固定部材１１を回動して操作部材９の係合部に係合し、操作部材９によるスイッチ８の操作状態をロックする。ユニットを筐体から外して検査パイプ６を洗浄する間、Ｘ線は照射不能の状態にロックされるため、Ｘ線漏洩の危険なく、装置内の検査パイプを外部の配管から着脱自在とすることができる。
【先行技術文献】
【特許文献】
【０００４】
【特許文献１】特開２００６−０１０３９８号公報
【特許文献２】特開２００６−０１０６３７号公報
【発明の概要】
【発明が解決しようとする課題】
【０００５】
上記特許文献１、２に記載されたＸ線異物検出装置によれば、パイプライン内を流動搬送される被検体に対して、遮蔽された検査空間内でＸ線を照射して検査を行なう。この種のＸ線異物検出装置では、近年、被検体の多様化に伴い、高温の流動体を検査する事例が見られるようになっているが、このような事例では、パイプライン内を通過する被検体の熱により検査空間内の温度が上昇するため、検査空間内を冷却する必要が生じる場合があると本願発明者は考えた。
【０００６】
また、特に上記特許文献２に記載されたＸ線異物検出装置のように、Ｘ線の漏洩を防止するインターロック機構が検査空間内に設けられている場合、一般にインターロック機構に使用される部品は信頼性と安全性の観点から当該インターロック機構の周囲にある他の部品よりも許容温度が低く設定されていることから、当該インターロック機構は特に重点的に冷却する必要が生じる場合があると本願発明者は考えた。
【０００７】
しかしながら、パイプライン内を流動搬送される被検体にＸ線を照射して検査を行なう従来のＸ線検査装置では、検査空間の内部を効果的に冷却し、また検査空間内に設けられた特定の発熱対象を効果的に冷却できるような冷却装置を備えた装置は見当たらなかった。
【０００８】
本発明は、以上説明した従来の技術において本願発明者が見出した種々の課題に鑑みてなされたものであり、パイプライン内を流動搬送される被検体に対し、遮蔽された検査空間内でＸ線を照射して検査を行なうＸ線検査装置において、検査空間を効果的に冷却し、また検査空間内に設けられた特定の部品を効果的に冷却することを目的としている。
【課題を解決するための手段】
【０００９】
請求項１に記載されたＸ線検査装置は、
パイプライン内を流動搬送される被検体にＸ線を照射し、前記被検体を透過したＸ線の透過量に基づいて前記被検体を検査するＸ線検査装置であって、
一端部が冷却気体の供給源に接続されるとともに他端部は閉止され、長手方向に間隔をおいて形成された複数の孔を有し、前記パイプラインと平行に配置された管部と、
前記孔から前記管部の内部に選択的に配置される調節部材と、
を有する冷却装置を具備することを特徴としている。
【００１０】
請求項２に記載されたＸ線検査装置は、請求項１に記載のＸ線検査装置において、
前記孔の少なくとも一部は、前記管部の周方向に関して他の一部とは異なる位置に形成されていることを特徴としている。
【００１１】
請求項３に記載された請求項１又は２に記載のＸ線検査装置は、
前記孔は円形であることを特徴としている。
【００１２】
請求項４に記載されたＸ線検査装置は、請求項１又は２に記載のＸ線検査装置において、
前記孔はねじ孔であることを特徴としている。
【発明の効果】
【００１３】
請求項１に記載されたＸ線検査装置によれば、パイプライン内に流動性の被検体を供給して流動搬送し、装置の検査空間内でパイプラインにＸ線を照射し、被検体を透過したＸ線の透過量に基づいて被検体を検査することができる。
【００１４】
このようなＸ線検査装置では、パイプラインを通過する被検体が高温であったり、検査空間内に高温を発生する装置類があると、検査空間が、冷却が必要なレベルの高温雰囲気になる場合がある。そのような場合には、冷却装置の管部に供給源から冷却気体を供給し、管部に形成された複数の孔から検査空間内に冷却気体を噴射して検査空間内の温度を低下させることができる。
【００１５】
このように、長手方向に間隔をおいて複数の孔が形成された管部の一端部から、閉止された他端部に向けて冷却気体を供給すると、管部の内径や孔の内径等の諸条件によっては、各孔から噴射される冷却気体の風量が一定にならず、検査空間内を均一かつ効率的に冷却することが困難となる場合がある。請求項１に記載されたＸ線検査装置では、そのような場合であっても、管部に形成された複数の孔のうち、状況から必要と認められる孔を選択し、その孔から管部の内部に調節部材を配置するものとした。このように調節部材で管部内の冷却気体の流路を部分的に閉塞したため、調節部材を設けた孔よりも上流側の隣の孔、すなわち管部の一端部側の隣の孔から噴射される冷却気体の風量が増加し、その結果として、複数の孔からそれぞれ噴射される冷却気体の風量は、調節部材を設けない場合に比べて均一化されている。従って、調節部材を設ける孔を適宜に選択すれば、調節部材を設けない複数の孔から検査空間内に吹き出す冷却気体の風量を可及的に均一化し、パイプラインの冷却を効率化し、検査空間の全体について速やかな冷却効果を得ることができる。
【００１６】
特に、冷却装置の管部は、パイプラインと平行に配置されているため、管部の複数の孔をパイプラインと対面する位置に形成すれば、各孔から均一に吹き出す冷却気体をパイプラインの全体に直接吹き付けることができる。また、管部の複数の孔を検査空間の上方に向けるように形成すれば、熱が溜まり易い検査空間の上方に冷却気体を供給することができる。このため、パイプラインが配置された検査空間内を効率的に冷却することができる。
【００１７】
また、検査中に高温になる装置類が検査空間内の特定位置に設けられている場合には、管部に設けられた複数の孔のうち、当該装置の冷却に最も寄与すると考えられる位置にある孔よりも下流側の隣の孔、すなわち管部の他端部側の隣の孔に調節部材を配置する。これにより、当該装置の冷却に最も有効な孔から噴射される冷却気体の風量が増すので、当該装置を特に効果的に冷却することができる。
【００１８】
請求項２に記載されたＸ線検査装置によれば、検査空間内でパイプラインが設けられた位置とは異なる他の位置に、特に冷却したい部品が存在する場合に、管部の孔の一部を、その部品に冷却気体を吹き付けるのに適した周方向の特定の位置に形成することができる。このような孔の配置とすれば、一部の孔からの冷却気体を部品に直接吹き付けるとともに、その他の孔からの冷却気体はパイプラインの冷却に適した方向に吹き出すようにすることができるため、全体として検査空間内を効果的に冷却することができる。
【００１９】
請求項３に記載されたＸ線検査装置によれば、管部の孔が円形であり、調節部材としては円柱形のピン等を用いることができるため、孔に対する調節部材の挿入、抜脱が容易である。
【００２０】
請求項４に記載されたＸ線検査装置によれば、管部の孔がねじ孔であり、調節部材としてはねじを用いることができるため、孔に対する調節部材の挿入の程度を調節することにより、調節部材が管部の内部を閉塞する程度を調節して孔から吹き出す冷却気体の風量を所望の状態に設定することができる。
【図面の簡単な説明】
【００２１】
【図１】本発明の実施形態に係るＸ線検査装置の正面カバーを開放した状態を示す正面図である。
【図２】本発明の実施形態に係るＸ線検査装置の正面カバーを開放した状態を示す要部斜視図である。
【図３】本発明の実施形態における冷却装置の基本構造及び作用原理を示す模式的な断面図及び平面図である。
【図４】本発明の実施形態における冷却装置の基本構造及び作用原理を示す模式的な断面図及び平面図である。
【図５】本発明の実施形態における冷却装置の第１の構造例を示す図であり、分図（ａ）は平面図、分図（ｂ）は分図（ａ）のａ−ａ切断線における断面図、分図（ｃ）は分図（ｂ）のｃ−ｃ切断線における断面図である。
【図６】本発明の実施形態における冷却装置の第２の構造例を示す図であり、分図（ａ）は平面図、分図（ｂ）は分図（ａ）のａ−ａ切断線における断面図、分図（ｃ）は分図（ｂ）のｃ−ｃ切断線における断面図である。
【図７】本発明の実施形態における冷却装置の第３の構造例を示す図であり、分図（ａ）は平面図、分図（ｂ）は分図（ａ）のａ−ａ切断線における断面図、分図（ｃ）は分図（ｂ）のｃ−ｃ切断線における断面図である。
【図８】本発明の実施形態における冷却装置において調節部材を用いない場合の各孔からの風量を示す模式的な断面図及び平面図である。
【発明を実施するための形態】
【００２２】
以下、本発明の実施の形態を図面を参照して具体的に説明する。
図１は本発明によるＸ線検査装置１の実施形態を示す全体正面図であり、図２はＸ線検査装置１において筐体の前面カバーを解放した状態を示す正面から見た斜視図である。まず、図１及び図２を参照してＸ線検査装置１の基本的構造等を説明し、次に図２及び図３等を参照してＸ線検査装置１が有する冷却装置の構造と原理を説明し、そして図１及び図２、さらに図５〜図７を参照して、Ｘ線検査装置１が有する冷却装置のより具体的な構造及びより具体的な作用効果について説明する。
【００２３】
この実施形態のＸ線検査装置１は、製造ラインの一部に設けられ、例えばアサリなどの貝類の剥き身、魚のすり身、レトルト食品の具材、具材入りスープなどの各種食品を被検体としてパイプライン内で連続的に流動搬送し、これら被検体に混入している金属、ガラス、殻、骨などの異物を検出する装置である。
【００２４】
上に例示した被検体、すなわちアサリなどの貝類の剥き身、魚のすり身、レトルト食品の具材などは、水や空気などの搬送用流体と共にパイプライン内を流動搬送されるのに対し、具材入りスープなどは、製品自体が流体と固体との混合物であり、それ自身が流動性を有するため、そのままパイプライン内を流動搬送される。
【００２５】
図１に示すように、本実施形態のＸ線検査装置１は、脚部３で設置面上に支持された箱型の筐体２を有している。筐体２の上部の内部には、図示しないＸ線照射部が設けられており、下方に向けてＸ線を照射できるようになっている。筐体２の下部の内部には、Ｘ線照射部からのＸ線が照射される被検物を搬送するための検査空間Ｓが設けられている。筐体２の下部の前面は、検査空間Ｓを開放する開口４となっており、開口４は前面カバー５によって覆われている。前面カバー５は図２に示すように下側の軸６を中心として揺動可能になっており、図１及び図２は前面カバー５が手前下方の開放位置に揺動して開口４が開放された状態を示している。
【００２６】
図１及び図２に示すように、検査空間Ｓ内には、被検体を所定の搬送方向に流動搬送するための経路であるパイプライン１０が配置されている。パイプライン１０は断面円形の管であるが、Ｘ線が照射される中央部分は偏平形状に加工されており、この中央部分が被検体の検査位置とされている。パイプライン１０の両端にはそれぞれＸ線を遮蔽するための支持板材１１が取り付けられており、パイプライン１０と２枚の支持板材１１，１１によって筐体２に着脱自在なパイプユニットが構成されている。前面カバー５を手前に倒して検査空間Ｓを開放した状態とし、パイプライン１０を検査空間Ｓ内に持ち込んで筐体２に対して固定すれば、検査空間Ｓ内の奥行き方向の略中央の所定位置に、パイプライン１０を位置決めすることができる。図２では、左側の支持板材１１と筐体２の間に隙間が見えるが、これは内部構造を見易くするために一部の構造の図示を省略しているためであり、実際には、パイプライン１０の長手方向に関する筐体２の両側面（左右両側面）には遮蔽板材が固定的に設けられており、前面カバー５を閉じれば、前記支持板材１１による遮蔽効果と併せて筐体２内の検査空間Ｓは外界に対して遮蔽されるようになっている。
【００２７】
図１及び図２に示すように、検査空間Ｓ内の上方には、パイプライン１０を支持する２つの支持板材１１の上縁部と近接した２つの位置に、第１インターロック装置１２ａと第２インターロック装置１２ｂ（インターロック装置１２と総称する。）がそれぞれ設けられている。これら２つのインターロック装置１２は、Ｘ線照射部をＯＮ／ＯＦＦするためのスイッチを備えており、パイプライン１０が筐体２内の所定位置に正規の状態で取り付けられていない場合には、スイッチをＯＦＦとしてＸ線照射を不能にするための安全装置である。２つのインターロック装置１２が設けられているのは、安全基準等の要請であり、この実施形態の技術的範囲を限定するものではない。インターロック装置１２は、筐体２と支持板材１１に対して各一部分がそれぞれ取り付けられており、前述したパイプユニットを所定位置に取り付ければ、インターロック装置１２がＯＮとなって機能し、Ｘ線照射部を作動可能とする。パイプユニットを所定位置から取り外せば、筐体２と支持板材１１にそれぞれ取り付けられたインターロック装置の各一部分が互いに離れてインターロック装置１２がＯＦＦとなって機能を停止するため、Ｘ線照射部は作動不能となる。
【００２８】
図示はしないが、本実施形態のＸ線検査装置１は、前面カバー５に連動する第３のインターロック装置も有しており、パイプユニットが正規の位置に取り付けられて第１及び第２のインターロック装置１２のスイッチがＯＮであっても、前面カバー５が閉止されていなければＸ線照射部は作動しないようになっている。
【００２９】
図示はしないが、検査空間Ｓの下方の筐体２内には、パイプライン１０の検査位置の下方の位置に検出部が設けられている。検出部は、パイプライン１０内を流動搬送されて検査位置を通過する被検体を透過したＸ線を検出するセンサであり、図示しない制御部が、検出部の検出結果から得られるＸ線の透過量に基づいて被検体を検査する。本実施形態では、流体状の被検体が異物を含むか否かを検査する。
【００３０】
図１及び図２に示すように、本実施形態のＸ線検査装置１は、検査空間Ｓの内部を冷却するための冷却装置１５を備えている。冷却装置１５は、独立した２本のパイプである第１の管部１６ａと第２の管部１６ｂ（管部１６と総称する。）を有している。
【００３１】
まず、本実施形態のＸ線検査装置１に冷却装置１５を設けた理由について説明する。
パイプライン１０で流動状の被検物を搬送しながら検査するＸ線検査装置１では、近年、被検体の多様化に伴い、高温の流動体を検査する事例が見られるようになっており、その場合には、パイプライン１０内を通過する流動体の熱によって、遮蔽された検査空間Ｓ内の温度が上昇し、検査空間Ｓ内を冷却する必要が生じる場合が考えられる。高温の流動体の例としては、９５度にもなるものがある。また、検査後にパイプライン１０に蒸気を通して洗浄する場合もあり、その場合の温度は１５０度を越える場合もある。
【００３２】
また、本実施形態のＸ線検査装置１のように、インターロック装置１２が検査空間Ｓ内に設けられている場合、一般にインターロック機構に使用される部品は信頼性と安全性の観点から当該インターロック機構の周囲にある他の部品よりも許容温度が低く設定されていることから、当該インターロック装置１２を重点的に冷却する必要性が生じる。なお、インターロック装置１２は例示であり、検査空間Ｓ内に設けられた熱を発生する装置類は、インターロック装置１２に限らず冷却することが望ましい。
【００３３】
そこで、本願発明者は、以上説明した本実施形態のＸ線検査装置１に、第１の管部１６ａと第２の管部１６ｂを有する冷却装置１５を設けた。この冷却装置１５について詳細に説明する前に、冷却装置１５の基本構造と作用原理を、模式図である図３及び図４、さらに比較図である図８を参照して説明する。
【００３４】
図８に示すように、この冷却装置１５は、一端部が冷却気体の供給源に接続されるとともに他端部は閉止され、長手方向に間隔をおいて形成された複数の孔１７を有する管部１６を本体としている。この構成において、一端部から冷却空気を供給すると、管部１６の内径や孔１７の内径等の諸条件によっては、各孔１７から噴射される冷却気体の風量が一定にならず、図８に矢印で示すように、上流から下流に向かうに従って孔１７から吹き出す冷却気体の風量が徐々に大きくなっていき、各孔１７ごとの風量が一定にならない場合があることを本願発明者は見出した。従って、このような構造の管部１６のみによる冷却装置１５を実施形態のＸ線検査装置１の検査空間Ｓに設けても、検査空間Ｓ内を常に均一かつ効率的に冷却することは困難であると考えられる。
【００３５】
そこで、実施形態の冷却装置１５では、管部１６に形成された複数の孔１７のうち、風量を増やしたい孔１７を選択し、その孔１７よりも下流側に向けて一つ隣の孔１７に調節部材を挿入して管部１６内に配置し、管部１６の内部を部分的に塞ぐこととした。
【００３６】
図３に示すように、冷却気体の供給側である一端部（図中右側）から数えて２個目の孔１７に調節部材１８を配置すると、図８との比較から分かるように、この孔１７よりも上流側に一つ隣の孔１７からの風量が増加する。調節部材１８を配置した孔１７よりも下流側に一つ隣の孔１７からの風量は調節部材１８がない場合よりもやや少なくなるが、その他の下流側の孔１７からの風量は図８と比べて大きな変化はなく、全体として見れば、図３における各孔１７からの風量は、図８に示す状態よりも平均化している。
【００３７】
図４に示すように、冷却気体の供給側である一端部から２個目と４個目の２つの孔１７に調節部材１８を配置すると、図８との比較から分かるように、これらの孔１７よりも上流側の一つ隣にある二つの孔１７からの風量がそれぞれ増加する。最下流の孔１７からの風量は調節部材１８がない図８の場合と比べて大きな違いはなく、全体として見れば、図４における各孔１７からの風量は、図８に示す状態よりも平均化しており、図３に示す状態よりもさらに均一になっている。
【００３８】
このように調節部材１８を取り付けると、調節部材１８を設けた孔１７よりも上流側の隣の孔１７、すなわち管部１６の一端部側の隣の孔１７から噴射される冷却気体の風量が増加し、複数の孔１７からそれぞれ噴射される冷却気体の風量は、調節部材１８を設ける前よりも均一化される。従って、実施形態のＸ線検査装置１において、調節部材１８を設ける孔１７を適宜に選択すれば、特定の孔１７からの風量を増してインターロック装置１２を特に冷却することができるとともに、複数の孔１７から検査空間Ｓ内に吹き出す冷却気体の風量を可及的に均一化し、パイプライン１０の冷却が効率的になり、検査空間Ｓの全体について速やかな冷却効果を得ることができる。
【００３９】
次に、図１及び図２に示す本実施形態のＸ線検査装置１の説明に戻り、以上説明した原理に基づく冷却装置１５のより具体的な構造及びより具体的な作用効果について、図５〜図７を参照して説明する。
【００４０】
図１及び図２に示すように、冷却装置１５は、独立した２本のパイプである第１の管部１６ａと第２の管部１６ｂを有している。第１の管部１６ａと第２の管部１６ｂは、検査空間Ｓ内の上方において、パイプライン１０の真上よりも正面から見て奥側に配置されている。その検査空間Ｓ内における高さは、インターロック装置１２とほぼ同一である。第１の管部１６ａと第２の管部１６ｂは同一長さであり、同軸に配置され、パイプライン１０と平行である。第１の管部１６ａと第２の管部１６ｂは、何れも一端部が冷却気体の供給源（図示せず）に接続され、他端部は閉止されており、検査空間Ｓの内部では他端部同士が間隔をおいて対向している。
【００４１】
本実施形態の冷却装置１５において、仮に管部１６を長い１本の管で構成したとすると、装置の組み立て時等には、これを検査空間Ｓ内に持ち込み、その両端を筐体２に固定する作業を行う必要があるが、このような作業は煩雑であり、相応の労力と時間を要する。しかしながら、実施形態では、独立した第１の管部１６ａと第２の管部１６ｂで管部１６を構成したため、組み立て時には、短い各管部１６ａ，１６ｂを一本ずつ検査空間Ｓ内に持ち込み、その一端部のみを筐体２に固定する作業を行えばよく、長い１本の管部の場合に比べて作業は容易である。
【００４２】
なお、冷却気体としては、工場などで容易に入手できるコンプレッサの圧縮空気を利用することができる。すなわち、冷却気体とは、必ずしも冷却用として準備した特別に低温の気体との意味ではなく、冷却対象の温度との関係で冷却に利用しうる温度の気体であればよい。
【００４３】
図５に示すように、管部１６の周面には、長手方向に間隔をおいて複数の丸孔１７ａが形成されている。複数の丸孔１７ａは、管部１６の長手方向（軸方向）については所定間隔で配置されているが、周方向に関する位置は同一ではない。すなわち、一端部側（図５中右側）の２個の丸孔１７ａと、その他の丸孔１７ａとは、周方向について９０度（または２７０度）離れている。なお、第１及び第２の管部１６ａ，１６ｂの寸法を例示すると、管部１６は、内径９．８ｍｍ、外径１３．８ｍｍ、肉厚２ｍｍであり、丸孔１７ａは直径が４ｍｍである。
【００４４】
図５に示すように、一端部側にある２個の丸孔１７ａから下流側に一つ隣にある丸孔１７ａには、調節部材１８としてのピン１８ａが設けられている。ピン１８ａは、丸孔１７ａに隙間無く挿入できる中実の円柱形状であり、長さは管部１６の外径よりもやや小さく、丸孔１７ａに挿入して内周面に突き当てると上端部が管部１６の外周面と略同一面になる。先に図３を参照して原理を説明したように、ピン１８ａを設けない場合に比べ、一端部側にある２個の丸孔１７ａからの風量は増大している。
【００４５】
図１及び図２に示すように、Ｘ線検査装置１においては、第１の管部１６ａと第２の管部１６ｂは、各一端部側（筐体２の左側面側と右側面側）の各２個の丸孔１７ａは正面側のインターロック装置１２に向けられている。従って、一端部側にある２個の丸孔１７ａから吹き出す風量が増大した冷却気体は、インターロック装置１２に吹き付けられて、これを効率的に冷却することができる。
【００４６】
図１及び図２では視認できないが、図５に示すように、一端部側にある２個の丸孔１７ａ以外の丸孔１７ａは真上を向いており、その風量は、ピンを設けない場合に比べ、均一化している。パイプライン１０に高温の流動体を流して検査空間Ｓ内の空気が温められた場合、温かい空気は検査空間Ｓ内の上方の位置に溜まり易いので、管部１６の多くの丸孔１７ａから上方へ冷却気体を吹き出すことにより、検査空間Ｓ内の空気が攪拌され、検査空間Ｓ内を効率よく冷却することができる。
【００４７】
なお、丸いピン１８ａと丸孔１７ａの寸法関係が挿抜可能なものであれば、冷却すべき部品の発熱量や位置等が異なるＸ線検査装置１の機種に対応してピン１８ａの位置を変えることができる。しかしながら、ピン１８ａと丸孔１７ａは、脱落の防止のために圧入又は挿入後の溶接で固定する構造でもよい。
【００４８】
図６は、実施形態における冷却装置１５の第２の構造例を示す図である。この構造例では、管部１６の孔がねじ孔１７ｂであり、調節部材がねじ１８ｂである。この構造例によれば、ねじ孔１７ｂに対するねじ１８ｂの挿入の程度を調節することにより、ねじ１８ｂが管部１６の内部を閉塞する程度を調節することができ、ねじ孔１７ｂから吹き出す冷却気体の風量を所望の状態に設定することができる
【００４９】
図７は、実施形態における冷却装置１５の第３の構造例を示す図である。この構造例では、管部１６の孔がスリット１７ｃであり、調節部材が板材１８ｃである。この構造例によれば、管部１６に対するスリット１８ｃの加工は容易であり、スリット１７ｃの寸法に適合した板材１８ｃを用意することも容易である。
【００５０】
以上説明した実施形態では、冷却装置１５の管部１６は丸管であったが、中空長手形状の部材であれば、特に形状を限定するものではない。
【符号の説明】
【００５１】
１…Ｘ線検査装置
１０…パイプライン
１２…インターロック装置
１２ａ…第１インターロック装置
１２ｂ…第２インターロック装置
１５…冷却装置
１６…管部
１６ａ…第１の管部
１６ｂ…第２の管部
１７…孔
１７ａ…孔としての丸孔
１７ｂ…孔としてのねじ孔
１７ｃ…孔としてのスリット
１８…調節部材
１８ａ…調節部材としてのピン
１８ｂ…調節部材としてのねじ
１８ｃ…調節部材としての板材
Ｓ…検査空間
【図１】
2019158366.tif 000003
【図２】
2019158366.tif 000004
【図３】
2019158366.tif 000005
【図４】
2019158366.tif 000006
【図５】
2019158366.tif 000007
【図６】
2019158366.tif 000008
【図７】
2019158366.tif 000009
【図８】
2019158366.tif 000010